(57)【特許請求の範囲】
【請求項１】
マルチビーム記録再生装置によって光記録媒体に記録する際に所定の規則に基づいて記録データを符号化して記録する記録方法であって、
第１のトラックの、記録データを符号化した第１の符号ビットが「１」又は「記録マーク」の時、該第１のトラックに隣接する第２のトラックの前記第１の符号ビットにトラックと直角な方向に隣接する、記録データを符号化した第２の符号ビットを符号化規則に基づいて「０」又は「非マーク」として符号化し、
ｎ本の光ビームと、前記記録データを前記符号化により符号化されたｍビットの符号ビットの最小公倍数あるいはその整数倍のビット数を１つのブロック単位として、複数の記録トラックに分割し、前記符号化された複数の符号ビットを複数の記録トラックにまたがってトラックに直角な方向に並べて記録を行うことを特徴とする光記録媒体を用いたマルチビーム記録再生装置による情報記録方法。
【請求項２】
請求項１に記載の情報記録方法による光記録媒体を用いたマルチビーム記録再生装置における符号ビット信号を複数の記録トラックに分配するための信号分配器であって、符号ビットを入力するためのシフトレジスタとトラック数の分周器とトラックの数のＤフリップフロップとを具備する信号分配器。
【請求項３】
請求項１に記載の情報記録方法によって記録された光記録媒体の記録ビットの再生を行うマルチビーム記録再生装置における複数の記録トラックからの再生信号を収集するための信号収集器であって、再生信号を入力するためのトラックの数のシフトレジスタとトラックの数の分周器と、複数の信号を収集したデータを格納するためのシフトレジスタとを具備する信号収集器。
【請求項４】
請求項１または２に記載の情報記録方法によって記録された光記録媒体の記録ビットの再生を行うマルチビーム記録再生装置。
【発明の詳細な説明】
【０００１】
【産業上の利用分野】
本発明は、情報を記録媒体に高密度記録する方法、情報記録再生装置、及び情報記録再生装置のための信号収集器及び分配器に関する。
【０００２】
【従来の技術】
第１の従来例として、特公平２−３１３３０号に開示された光メモリ装置がある。この例ではいわゆるＲＬＬ符号によって、情報ビットを符号ビットに変換し、トラックに沿ってこれを記録していた。図１２には、よく知られている（１、７）ＲＬＬ符号の変換表を示す。たとえば図１３のように、この変換規則にしたがい、さらにいわゆるＮＲＺ記録によって変換した符号ビットをトラック１０１に沿ってシリアルに記録していた。トラック１０２、１０３も同様に記録を行っていた。
【０００３】
第２の従来例として特開平２−２４７８３７号公報に開示されたマルチビーム記録再生装置があった。この例では、隣接トラックからのクロストークを低減するために、第１の光ビームによって符号ビットから第１の読み出し信号を再生し、第２の光ビームによって隣接トラックの符号ビットから第２の読み出し信号を再生し、第１の読み出し信号から第２の読み出し信号を減算して、クロストークを低減していた。
【０００４】
第３の従来例として、特開平４−３４１９７４号公報に開示された情報信号記録及び再生装置があった。この例ではビデオフォーマット信号を３つのチャンネルのビデオ信号に分割し、３本のマルチビームによって記録を行っていた。
【０００５】
【発明が解決しようとする課題】
ところが、第１の従来例の符号規則によって記録を行えば、図１３に示すように隣接トラック１０２、１０３からのクロストークによって再生エラーが発生していた。例えば、光スポットＡの位置では「１」又は「記録マーク」を読み出し、隣接トラック１０２、１０３が「０」または「非マーク」であるため、クロストークはゼロであった。なお、この例では、いわゆるＮＲＺ記録を行っており、「１」を「記録マーク」に、「０」を「非マーク」に対応させて記録していた。しかし、光スポットＢでは隣接トラック１０３の符号が「１」であり、光スポットＣでは両方の隣接トラック１０２、１０３の符号ビットが「１」であるため、クロストークが発生し、再生エラーを発生させていた。
【０００６】
第２の従来例はこれを解決するために、上記の方法によりクロストークを低減していた。しかし、第２の光ビームもその隣接トラックの符号ビットをどうしても読み出してしまう。したがって、第２の読み出し信号にもさらにその隣接トラックからのクロストークがあるため、これを第１の読み出し信号から減算しても十分にクロストークを低減できないという問題点があった。
【０００７】
また、近年、図１０及び１１に示すように複数の光ビームによって記録再生を行い、高速記録再生を可能にするマルチビーム記録再生装置が提案されている。たとえば、シングルビーム記録再生装置では一度に１セクタの記録再生しかできないが、マルチビーム記録再生装置では一度に複数のセクタを記録再生していた。
【０００８】
ところが、従来は上記第１の従来例の記録方法によって記録しており、たとえマルチビーム記録再生装置であっても、１セクタのデータを記録あるいは再生するのに１セクタ分の記録あるいは再生時間が必要であった。つまり、ビーム数と同数あるいはそれ以下のセクタを記録再生する場合は、高速化が不可能であった。また、当然ではあるが１バイトのデータを記録あるいは再生するにも、少なくとも１バイト分の記録あるいは再生時間が必要であった。つまり、ビーム数と同数あるいはそれ以下のバイトを記録再生する場合も同様であった。
【０００９】
また、上記第３の従来例ではビデオ信号を３つのチャンネルに分割し、３つの光ビームで記録再生しているが、分割の方法が開示されておらず、またコンピュータ用のディジタルデータに関しても一切開示されていなかった。また、隣接トラックの異なる時間軸上に識別信号を記録するため、結局一つのビデオ情報の記録再生時間を高速化することが困難であった。
【００１０】
【課題を解決するための手段】
本発明は上記課題を解決するために、請求項１に記載のように、マルチビーム記録再生装置によって光記録媒体に記録する際に所定の規則に基づいて記録データを符号化して記録する記録方法であって、第１のトラックの、記録データを符号化した第１の符号ビットが「１」又は「記録マーク」の時、該第１のトラックに隣接する第２のトラックの前記第１の符号ビットにトラックと直角な方向に隣接する、記録データを符号化した第２の符号ビットを符号化規則に基づいて「０」又は「非マーク」として符号化し、ｎ本の光ビームと、前記記録データを前記符号化により符号化されたｍビットの符号ビットの最小公倍数あるいはその整数倍のビット数を１つのブロック単位として、複数の記録トラックに分割し、前記符号化された複数の符号ビットを複数の記録トラックにまたがってトラックに直角な方向に並べて記録を行うことを特徴とする光記録媒体を用いたマルチビーム記録再生装置による情報記録方法である。
【００１２】
また、請求項３に記載のように、光記録媒体を用いたマルチビーム記録再生装置における符号ビット信号を複数の記録トラックに分配するための信号分配器であって、符号ビットを入力するためのシフトレジスタとトラック数の分周器とトラックの数のＤフリップフロップとを具備する請求項３に記載の信号分配器が提供される。
【００１３】
また、本発明によれば、光記録媒体の記録ビットの再生を行うマルチビーム記録再生装置における複数の記録トラックからの再生信号を収集するための信号収集器であって、再生信号を入力するためのトラックの数のシフトレジスタとトラックの数の分周器と、複数の信号を収集したデータを格納するためのシフトレジスタとを具備する請求項４に記載の信号収集器が提供される。
【００１４】
本発明によれば、さらに、請求項１または２に記載の情報記録方法によって記録された光記録媒体の記録ビットの再生を行う請求項５に記載のマルチビーム記録再生装置が提供される。
【００１５】
【作用】
本発明の信号分配器は、トラックの数の分周器及びＤフリップフロップを用い、シフトレジスタに入力された符号ビットを複数の記録トラックに分配する。
【００１６】
本発明の信号収集器は、複数の記録トラックからの再生信号をトラックの数のシフトレジスタに入力し、トラックの数の分周器を用いシフトレジスタに格納する。
【００１７】
【実施例】
本発明に係る情報記録再生装置について、光記録再生装置を例として以下に説明する。
【００１８】
図２２Ａは、本発明の光記録再生装置を示す図である。情報記録時は情報ビット（記録データ）が符号器１５１に入力され、例えば３トラックにまたがる符号化が行われ、変調ビット（符号語）が一旦バッファメモリ１５２に蓄積される。光ビームが第１トラックにトラッキングされるとバッファメモリから第１トラックに記録する変調ビットがまず出力され、次に第２トラックにトラッキングされると第２トラックに記録する変調ビット、第３トラックにトラッキングされると第３トラックに記録する変調ビットが順に出力される。これらの変調ビットはレーザ駆動回路１５３に送られる。レーザ駆動回路１５３から駆動電流が半導体レーザ１５４に送られ、光ビームがビームスプリッタ１５５、対物レンズ１５６を介して光ディスク１５７に照射され、変調ビットが第１トラック、第２トラック第３トラックに次々に記録される。
【００１９】
情報再生時は光ディスク１５７に記録された記録ビットからの反射光を対物レンズ１５６を介してビームスプリッタ１５５により光路を曲げ、フォトディテクタ１５８に導く。電気信号に変換された再生信号はアンプ１５９で増幅され、波形整形器で「１」または「０」のデジタル信号に変換される。第１トラックにおいて第１トラックからの再生ビットをまずバッファメモリ１６１に蓄積し、次に第２トラックにおいて第２トラックからの再生ビット、第３トラックにおいて第３トラックからの再生ビットの順序で蓄積される。蓄積された３つのトラックの再生ビットは復号器１６２によって一つの情報ビットへ復調される。なお、上記説明では光ビームが１本の場合を示したが、光ビームが３本の場合は第１トラック、第２トラック及び第３トラックを一度に記録再生できるため、図における２つのバッファメモリ１５２、１６１は不要である。
【００２０】
図２３は図２２Ａにおける情報記録時のフローチャートを示す図である。情報ビット（記録データ）が符号器に入力され、例えば第３トラックにまたがる符号化が行われ、変調ビット（符号語）が一旦バッファメモリに蓄積される（ステップｓ１）。次に、光ビームが第１トラックへ移動される（ステップｓ２）。バッファメモリからは、第１トラックに記録する変調ビットが出力され、光ディスクに記録される（ステップｓ３）。次に、光ビームが第２トラックへ移動される（ステップｓ４）。バッファメモリからは、第２トラックに記録する変調ビットが出力され、光ディスクに記録される（ステップｓ５）。次に、光ビームが第３トラックへ移動される（ステップｓ６）。バッファメモリからは、第３トラックに記録する変調ビットが出力され、光ディスクに記録される（ステップｓ７）。
【００２１】
図２４は図２２Ａにおける情報再生時のフローチャートを示す図である。まず光ビームが第１トラックへ移動される（ステップｓ１１）。第１トラックに記録された記録ビットが再生され、バッファメモリに蓄積される（ステップｓ１２）。光ビームが第２トラックへ移動される（ステップｓ１３）。第２トラックに記録された記録ビットが再生され、バッファメモリに蓄積される（ステップｓ１４）。光ビームが第３トラックへ移動される（ステップｓ１５）。第３トラックに記録された記録ビットが再生され、バッファメモリに蓄積される（ステップｓ１６）。蓄積した第１トラックの再生ビット、第２トラックの再生ビットおよび第３トラックの再生ビットを復号器に入力し、情報ビットを復号する（ステップｓ１７）。なお、上記フローチャートでは、光ビームが一本の場合を示したが、光ビームが３本の場合は第１トラック、第２トラック及び第３トラックを一度に記録再生できるため、光ビームのそれぞれのトラックへの移動およびバッファメモリへの蓄積動作は不要である。
【００２２】
以下に記載の第１から第５の実施例は、図２２Ａにおける符号器１５１の符号化方法、すなわち、図２３のフローチャートのステップｓ１に関わるものである。 図２２Ｂに基いて符号器１５１の構成を説明する。符号器１５１は、符号ビット変換器１７１及び符号化テーブル１７２から構成される。符号ビット変換器１７１は、符号化テーブルの内容にしたがって、情報ビットを符号ビットに変換する。
【００２３】
尚、この様に符号化テーブルを用いて符号器を構成する以外に、入力される情報ビットを論理演算回路により、直接符号化されたビットに変換するようにして符号器を構成することもできる。
【００２４】
第１の実施例について以下に説明する。
【００２５】
図１は本発明の第１の実施例における符号変換表である。これは、偶数番目のトラックと奇数番目のトラックの符号化規則に分けており、情報ビットの１ビットを符号ビットの３ビットに変換する例である。つまり、一方で偶数番目のトラックの情報ビット「０」を「０００」に、「１」を「０１０」に変換する。他方、奇数番目のトラックの情報ビット「０」を「００１」に、「１」を「１００」に変換する。
【００２６】
図２に、この符号変換表に基づいて、トラックに符号ビットを記録した例を示す。なお、以後は説明を簡単にするため、いわゆるＮＲＺ記録に限定して説明し、「１」及び「０」を用いて「記録マーク」及び「非マーク」を代用させる。
【００２７】
偶数番目のトラック１０に情報ビット「０１」を変換して記録する。奇数番目のトラック１１と１２にはそれぞれ「０１」と「１０」を変換して記録する。すると図のように、偶数番目のトラック１０の読み出す符号ビットが「１」の時、この符号ビットの位置に対して直角な方向に隣接する奇数番目のトラック１１及び１２の符号ビットを「０」にできる。逆に奇数番目のトラック１１や１２の符号ビットの場合も同様となる。したがって、読み出し信号のクロストークの発生しない符号化方法を提供できる。
【００２８】
第２の実施例について以下に説明する。
【００２９】
図３は本発明の第２の実施例における符号変換表である。これも同様に、偶数番目のトラックと奇数番目のトラックの符号化規則に分けているが、今度は情報ビットの２ビットを符号ビットの４ビットに変換する例である。その他は第１の実施例と同様であるため、詳細な説明は省略するが、偶数番目のトラック１０の読み出す符号ビットが「１」の時、この符号ビットの位置に対して直角な方向に隣接する偶数番目のトラック１１及び１２の符号ビットを「０」にできる。なお、上記第１及び第２の実施例では、符号ビット「０」が連続することがあるため、ＰＬＬによってビット同期をとることが困難となる。この場合は、図４に示す付加ビットをたとえば１バイト毎に付加すれば、「０」の連続を避けることも可能である。
【００３０】
第３の実施例について以下に説明する。
【００３１】
図５は本発明の第３の実施例における符号変換表である。これも同様に、偶数番目のトラックと奇数番目のトラックの符号化規則に分けており、情報ビットの３ビットを符号ビットの８ビットに変換する例である。符号ビット８ビットのうち後尾の２ビットは「０」の連続を避けるための付加ビットである。なお、上記第１〜第３の実施例以外の情報ビット４ビット以上の変換も、上記第１、第２及び第３の実施例と同様に順次変換することが可能であるため、詳細な説明は省略する。
【００３２】
第４の実施例について以下に説明する。
【００３３】
図６は本発明の第４の実施例における符号化方法の例である。これは、符号化する前の１次元の情報ビットを、トランクに沿う方向の３ビットとトラックに直角な方向の３ビットで構成する３×３行列であらわす２次元の符号ビット行列｛Ｃｉ，Ｒｊ｝（ｉ＝１，２，３、ｊ＝１，２，３）に変換するものである。さらに行列要素｛Ｃｉ，Ｒｊ｝が「１」のとき、｛Ｃｉ，Ｒｊ−１｝あるいは｛Ｃｉ，Ｒｊ＋１｝の少なくともどちらか一方を「０」とする。例えば、符号ビット行列２０はトラック２１で「１００」、トラック２２で「０１０」、トラック２３で「１００」となる。すると図７のように、トラック２２の読み出す符号ビットが「１」の時、この符号ビットの位置に対して直角な方向に隣接するトラック２１及び２３の符号ビットを「０」にできる。逆にトラック２１や２３の符号ビットについても同様となる。したがって、読み出し信号のクロストークの発生しない符号化方法を提供できる。
【００３４】
また、図６では１つの２次元の符号ビット行列を示したが、そのほかの行列を解り易く説明するために、ます「１」と「１」をそれぞれ直線２４、２５で結び、この直線の幾何学的な模様で２次元の符号ビット行列を表すことを考え、これを図８に示す。なお、図６の２次元の符号ビット行列は図８の２６に示す。これらの３０種類の２次元の符号ビット行列の模様を点対称や線対称によって以下の通りに分類すると分かりやすい。
【００３５】
【表１】
0003693659.tif 000002
【００３６】
これらの幾何学的な模様によって、トラック２２の読み出す符号ビットが「１」の時、この符号ビットの位置に対して直角な方向に隣接するトラック２１及び２３の符号ビットを「０」にできることが視覚的に分かる。
【００３７】
さて、これら３０種類の２次元の符号ビット行列のうち例えば１６種類を選択する。すると、１次元の情報ビット４ビットを、これらの１６種類の２次元の符号ビット行列に変換することも可能となる。残りの２次元の符号ビット行列はビットの再同期パターンとして使用することも可能である。
【００３８】
また、この例ではどのトラックにおいても少なくとも１つの「１」及び「０」を含ませており、いわゆるＲＬＬ符号としている。つまり、ＰＬＬ回路におけるビット同期が容易な符号化方法が実現できる。
【００３９】
なお、３×３行列以上の２次元の符号ビット行列については、符号ビット行列数が多くなるため、紙面の都合上説明は省略する。
【００４０】
第５の実施例について以下に説明する。
【００４１】
図９は本発明の第５の実施例における符号化方法を示す図である。これは、図１２に示した従来のＲＬＬ符号変換表に基づいて符号化した後、符号ビットをトラックに沿う方向ではなく、トラックに直角な方向に並べていく方法である。たとえば、情報ビットを符号変換表の上から順番に並べて「０１１０１１００００１・・・」とすると、符号ビットは「１０００１０１０１０００００１・・・」となる。つまり、図１２の（１、７）ＲＬＬ符号では、符号ビットが「１」と次の「１」の間に少なくとも一つの「０」が入るため、符号ビット「１」に対して隣接トラックの符号ビットを必ず「０」にすることが可能となる。したがって、読み出し信号のクロストークが発生しない符号化方法を提供できる。また、図９のトラック数は６であり、ちょうど符号ビットの変換単位（３ビットあるいは６ビット）の整数倍（１または２）となっている。つまり、トラック数はＲＬＬ符号の種類によって整数倍となるように決定すれば、区切りのよい符号化ができる。
【００４２】
なお、上記では（１、７）ＲＬＬ符号を例に挙げたが、その他のＲＬＬ符号の場合も同様である。
【００４３】
また、光記録再生装置及び光記録媒体においては、隣接トラック同士の符号ビットの間隔が極めて短く（１〜２μｍ程度）、これによってクロストークも発生しやすいが、短い故に符号ビットどうしを同期させて隣に配列することが容易である。つまり、本発明は特に光記録再生装置及び光記録媒体において有効な符号化方法となる。
【００４４】
また、上記第１〜第５の実施例において隣接トラックの符号ビット同士を、トラックに沿う方向に対してすべて同期させている。これは、複数の光ビームをもつマルチビーム記録再生装置において、特に容易に記録再生が可能となる。つまり、マルチビーム記録再生装置では複数の光ビームの照射位置を固定可能であるため、常に同期した符号ビットを記録再生することが可能となる。
【００４５】
また、説明を簡単にするためにＮＲＺ記録に限定して説明したが、これに限定する必要はなく、いわゆるＮＲＺＩ記録などにおいても、トラックに記録する符号ビットを「記録マーク」と「非マーク」により表現すれば同様に符号化を行うことが可能である。
【００４６】
本発明に係るマルチビーム記録再生装置について、光記録再生装置を例として以下に説明する。
【００４７】
図２５は本発明の光記録再生装置を示す図である。情報記録時は情報ビット（記録データ）が符号器２１３に入力され、例えば３トラックにまたがる符号化が行われ、変調ビット（符号語）は分配器２１４に送られる。分配器２１４からは、第１トラックに記録する変調ビット、第２トラックに記録する変調ビット及び第３トラックに記録する変調ビットがそれぞれ出力される。これらの変調ビットはそれぞれ３つのレーザ駆動回路２１５０、２１６０、２１７０に送られる。レーザ駆動回路２１５０、２１６０、２１７０から駆動電流が半導体レーザ２１５、２１６、２１７に送られ、３つの光ビームがビームスプリッタ２５０、対物レンズ２５１を介して光ディスク２５２に照射され、分配された３つの変調ビットが同時に記録される。
【００４８】
情報再生時は光ディスク２５２に記録された記録ビットからの３つの反射光を対物レンズ２５１を介してビームスプリッタ２５０により光路を曲げ、３つのフォトディテクタ２１８、２１９、２２０に導く。電気信号に変換された再生信号はそれぞれアンプ２５３、２５４、２５５で増幅され、波形整形器２５６、２５７、２５８で「１」または「０」のデジタル信号に変換される。第１トラックからの再生ビット、第２トラックからの再生ビットおよび第３トラックからの再生ビットを収集器２２１に入力し、一つにまとめられた再生ビットは復号器２２２によって情報ビットへ復調される。なお、上記説明では光ビームが３本の場合のを示したが、光ビームが１本の場合は第１トラック、第２トラック及び第３トラックを一度に記録再生できないため、分配器２１４の代わりに図２２Ａに示した２つのバッファメモリが必要となる。
【００４９】
図２６は図２５における情報記録時のフローチャートを示す図である。情報ビット（記録データ）が符号器に入力され、例えば第３トラックにまたがる符号化が行われる（ステップｓ２１）。各トラック毎に変調ビットが分配される（ステップｓ２２）。つぎに第１トラックに記録する変調ビット、第２トラックに記録する変調ビットおよび第３トラックに記録する変調ビットがそれぞれ３つの光ビームによって光ディスクに記録される（ステップｓ２３）。
【００５０】
図２７は図２５における情報再生時のフローチャートを示す図である。第１トラックに記録された記録ビット、第２トラックに記録された記録ビットおよび第３トラックに記録された記録ビットが３つの光ビームによってそれぞれ再生される（ステップｓ３１）。再生した第１トラックの再生ビット、第２トラックの再生ビットおよび第３トラックの再生ビットを収集器で収集する（ステップｓ３２）。つぎに収集した再生ビットを復号器において情報ビットに復号する（ステップｓ３３）。なお、上記フローチャートでは光ビームが３本の場合を示したが、光ビームが１本の場合は第１トラック、第２トラック及び第３トラックを一度に記録再生できないため、光ビームのそれぞれのトラックへの移動およびバッファメモリへの蓄積動作が必要となる。
【００５１】
上記では、マルチビーム記録装置により、隣接トラックの符号ビット同士をトラックに沿う方向に対してすべて同期させる例を示したが、これに限らず、シングルビームにより同期させることも可能であり、例えば良く知られているサンプルサーボ装置により同期させることも可能である。この装置はディスクに予め穴形状により記録されたクロックピットを再生して、これに同期した記録クロックを発生し、この記録クロックを基に記録マークを記録していく装置である。この装置では、ディスクの隣接トラックのクロックピットも予め記録されているため、隣接トラック同士の記録クロックをトラックに沿う方向に同期させることが可能なため、符号ビット同士も同期させることが可能となる。
【００５２】
以下の第６及び第７の実施例は、図２５における符号器２１３、分配器２１４及び収集器２２１、復号器２２２に主に関連する。
【００５３】
第６の実施例について以下に説明する。
【００５４】
図１４は本発明の第６の実施例における情報記録方法である。この例では、３つの光ビーム例を示す。光ビーム２０１、２０２及び２０３はそれぞれトラック２０７、２０８及び２０９を矢印Ａの方向に移動しながら、符号ビットを記録再生する。
【００５５】
図１６には符号化方法の一例として、よく知られている（１、７）ＲＬＬコードの変換表を示す。この符号ビットを図１４のトラックに記録する。つまり、まず符号ビット「１００」をそれぞれ１ビットづつトラック２０７、２０８及び２０９に記録する。
【００５６】
すると、情報ビット２ビット「０１」を符号ビット１ビット分の時間で記録することができる。言い換えると、トラックに沿う方向へ１ビット分の記録長により記録できる。次に符号ビット「０１０」をそれぞれ１ビットづつトラック２０７、２０８及び２０９に記録すると、情報ビット２ビット「１０」を符号ビット１ビット分の時間で記録することができる。同様に符号ビット「１０１」、「０００００１」を記録していくことができる。再生も同様に短い時間で行うことができる。
【００５７】
したがって、１語あるいは１バイトを複数の記録トラックに分割して記録を行う事により、高速記録再生が可能となる。この場合は従来の３倍に高速化可能となる。
【００５８】
このように、記録を続けていけば、同様に１セクタ分の情報の記録時間も光ビームの数に反比例して短縮可能となる。言い換えると、トラックに沿う方向の１セクタ分の記録長が短縮できる。
【００５９】
また、上記実施例では可変長符号である（１、７）ＲＬＬコードを例に挙げたが、これに限らず例えば固定長符号である８／１０変調コードの場合は符号ビットが１０ビットであるから、光ビーム数が３本の場合は、最小公倍数である３０ビットを一つのブロックとして記録すれば、区切りのよい記録再生ができる。
【００６０】
あるいは、３０ビットの整数倍のビット数を１ブロックしてもよい。
【００６１】
図１７は、図２５の光記録再生装置の部分を示す図である。
【００６２】
図１７において、情報記録時は記録データを符号器２１３によって符号化し、符号ビット信号ｂを分配器２１４に送り、符号ビットｂを１ビットづつ記録ビット信号ｃ１、ｃ２、ｃ３に分配し、それぞれ半導体レーザ２１５、２１６、２１７に送り、３つの光ビームｄ１、ｄ２、ｄ３によって、記録媒体に情報を記録することができる。情報再生時は記録媒体からの透過光または反射光ｅ１、ｅ２、ｅ３をそれぞれフォトダイオード２１８、２１９、２２０に導き、再生信号ｆ１、ｆ２、ｆ３を収集器２２１に導いて、記録時とは逆の方法で再生ビットを収集し、再生ビット信号ｇを復号器に送って、再生データに復号する。
【００６３】
図１８を用いて図１７における分配器２１４をさらに詳細に説明する。符号器２１３からの符号ビット信号ｂを分配器２１４におけるシフトレジスタ２２３に入力する。クロックｃｋ１をシフトレジスタ２２３と三分周器２２４に入力する。シフトレジスタ２２３ではクロックｃｋ１の立ち上がりエッジ毎に符号ビット信号ｂをシフトさせる。
【００６４】
シフトレジスタ２２３の三つの出力端子からビット信号ｈ１、ｈ２、ｈ３をＤ−ＦＦ２２５、２２６、２２７のデータ入力端子Ｄに入力し、三分周器２２４の出力ｃｋ２をクロック入力端子ｃｋに入力する。
【００６５】
Ｄ−ＦＦ２２５、２２６、２２７の出力端子ｏｕｔからは記録ビット信号ｃ１、ｃ２、ｃ３をそれぞれ出力する。
【００６６】
図１９は図１８の波形を示す図である。シフトレジスタ２２３においてクロックｃｋ１によってシフトされたビット信号ｈ１、ｈ２、ｈ３をクロックｃｋ２の立ち上がりエッジでとらえられると、記録ビット信号ｃ１、ｃ２、ｃ３を得ることができる。記録ビット信号ｃ１、ｃ２、ｃ３はシリアルに並んだ符号ビット信号ｂを３ビットづつパラレルビットに変換したものとなる。
【００６７】
図２０を用いて図１７における収集器２２１を詳細に説明する。再生信号ｆ１、ｆ２、ｆ３をシフトレジスタ２２８、２２９、２３０に入力する。クロックｃｋ３をシフトレジスタ２３１と三分周器２３２に入力する。三分周器２３２の出力信号ｃｋ４をシフトレジスタ２２８、２２９、２３０と２３１に入力する。シフトレジスタ２２８、２２９、２３０ではクロックｃｋ４の立ち上がりエッジ毎に再生ビット信号ｉ１、ｉ２、ｉ３をそれぞれシフトさせる。シフトレジスタ２３１ではクロックｃｋ４の立ち上がりエッジ毎に３つの再生ビット信号ｉ１、ｉ２、ｉ３を一度に取り込み、クロックｃｋ３の立ち上がりエッジ毎に１ビットづつシフトさせる。シフトレジスタ３１の出力からは再生ビット信号ｇを復合器２２２へ送り出す。
【００６８】
図２１は図２０の波形を示す図である。シフトレジスタ２３１ではクロックｃｋ４の立ち上がりエッジ毎に３つの再生ビット信号ｉ１、ｉ２、ｉ３を一度に取り込み、クロックｃｋ３の立ち上がりエッジ毎に１ビットづつシフトさせる。再生ビット信号ｇはパラレルに並んだ再生ビット信号ｉ１、ｉ２、ｉ３を３ビットづつシリアルに並べた信号となる。
【００６９】
第７の実施例について以下に説明する。
【００７０】
図１５は本発明の第７の実施例における情報記録方法である。図１４に比べて、光ビーム２０４、２０５及び２０６の配列方向がトラック２１０、２１１及び２１２と直角ではないが、その他は同様であるため詳細な説明は省略する。もし、光ビームの位置ずれによる時間ずれが発生する場合は、遅延素子等により、時間ずれの分だけそれぞれの記録再生時間を調整すればよい。その他は同様である。
【００７１】
【発明の効果】
また、本発明によれば、１バイトあるいは１語のデータを記録あるいは再生する時間が、従来に比べてビーム数分の１となり、１バイトあるいは１語分の記録あるいは再生時間が大幅に短絡可能となる。つまり、ビーム数が増える分だけ記録再生時間を高速化することが可能となる。
【００７２】
特に、トラックピッチが約１μｍ〜２μｍとなり、大容量化が可能な光記録再生装置では、大量のデータを転送する必要があり、本発明によって、より高速転送が実現できる。
【００７３】
また、１バイトあるいは１語のビット数が光ビームの数で割り切れない場合、あるいは逆に光ビーム数が１バイトあるいは１語のビット数で割り切れない場合は、ｎ本の光ビームと、情報語を変換したｍビットの符号語の最小公倍数を１つのブロック単位として、複数の記録トラックに分割し、区切りよく記録を行う事も可能となる。
【００７４】
同様に、１セクタのデータを記録あるいは再生する時間も、従来に比べてビーム数分の１となり、１セクタ分の記録あるいは再生時間が大幅に短縮可能となる。つまり、ビーム数が増える分だけ記録再生時間を高速化することが可能となる。
【００７５】尚、本発明は光磁気ディスク記録再生装置を初めとする光記録再生装置や、それ以外のカード、テープ等の記録再生装置や、追記型、相変化型の光記録再生装置においても、同様の効果が得られる。
【図面の簡単な説明】
【図１】  本発明の第１の実施例による符号変換表を示す図である。
【図２】  図１の符号変換表によって記録した符号ビットを示す図である。
【図３】  本発明の第２の実施例による符号変換表を示す図である。
【図４】  図１及び図２の符号変換表の付加ビットを示す図である。
【図５】  本発明の第３の実施例による符号変換表を示す図である。
【図６】  本発明の第４の実施例による２次元の符号ビット行列を示す図である。
【図７】  図６の符号変換表によって記録した符号ビットを示す図である。
【図８】  本発明の第４の実施例による２次元の符号ビット行列の幾何学的な模様を示す図である。
【図９】  本発明の第５の実施例による符号ビット配置を示す図である。
【図１０】  従来のマルチビーム記録再生装置の読み出しの説明図である。
【図１１】  従来のマルチビーム記録再生装置の読み出しの説明図である。
【図１２】  従来の符号変換表を示す図である。
【図１３】  図１２の符号変換表によって記録した符号ビットを示す図である。
【図１４】  本発明の第６の実施例による情報記録方法の説明図である。
【図１５】  本発明の第７の実施例による情報記録方法の説明図である。
【図１６】  符号コードの一例である（１、７）ＲＬＬコードの変換表を示す図である。
【図１７】  本発明の第６の実施例による情報記録方法を実現するための構成図である。
【図１８】  図１７における分配器の詳細説明図である。
【図１９】  図１８における分配器の各部の波形を示す図である。
【図２０】  図１７における収集器の詳細説明図である。
【図２１】  図２０における収集器の各部の波形を示す図である。
【図２２Ａ】  本発明の第１の実施例に係る情報記録再生装置の構成図である。
【図２２Ｂ】  情報記録再生装置の符号器の構成を示す図である。
【図２３】  本発明の第１の実施例に係る情報記録方法を示すフローチャートである。
【図２４】  本発明の第１の実施例に係る情報再生方法を示すフローチャートである。
【図２５】  本発明の第６の実施例に係るマルチビーム記録再生装置の構成図である。
【図２６】  本発明の第６の実施例に係る情報記録方法を示すフローチャートである。
【図２７】  本発明の第１の実施例に係る情報再生方法を示すフローチャートである。
【符号の説明】
１０  偶数番目のトラック
１１、１２  奇数番目のトラック
１３  付加ビット
【図１】
0003693659.tif 000003
【図２】
0003693659.tif 000004
【図３】
0003693659.tif 000005
【図４】
0003693659.tif 000006
【図５】
0003693659.tif 000007
【図６】
0003693659.tif 000008
【図７】
0003693659.tif 000009
【図８】
0003693659.tif 000010
【図９】
0003693659.tif 000011
【図１０】
0003693659.tif 000012
【図１１】
0003693659.tif 000013
【図１２】
0003693659.tif 000014
【図１３】
0003693659.tif 000015
【図１４】
0003693659.tif 000016
【図１５】
0003693659.tif 000017
【図１６】
0003693659.tif 000018
【図１７】
0003693659.tif 000019
【図１８】
0003693659.tif 000020
【図１９】
0003693659.tif 000021
【図２０】
0003693659.tif 000022
【図２１】
0003693659.tif 000023
【図２２Ａ】
0003693659.tif 000024
【図２２Ｂ】
0003693659.tif 000025
【図２３】
0003693659.tif 000026
【図２４】
0003693659.tif 000027
【図２５】
0003693659.tif 000028
【図２６】
0003693659.tif 000029
【図２７】
0003693659.tif 000030